(57)【要約】【課題】被測定者に負担を掛けることなく、脱水状態の判定を常時行う。【解決手段】被測定者の手首に照射したレーザ光の戻り光を受光し、この戻り光を解析して血流量を測定する血流量測定手段を有し、被測定者がある高低差ｈで手を挙げて静止した際に、血流量が一旦低下して上昇に反転し一定に回復するのに伴い、その反転から回復までの回復血流量ＢＦｒと血流回復時間Ｔｒを測定し、回復血流量ＢＦｒを血流回復時間Ｔｒで除算して血流回復勾配Ｈを算出する。被測定者の正常時の予備測定に伴い算出された基準血流回復勾配Ｈｓを同被測定者の通常時の測定に伴い算出された血流回復勾配Ｈｐで除算した水分比率低下度Ｒｍが、所定の低下度閾値以上か否かに応じて脱水状態か否かを判定し、脱水状態であると判定された場合には、水分補給メッセージを音声出力して水分摂取を促す。【選択図】      図７
2015054219.tif 000002
【特許請求の範囲】
【請求項１】
被測定者の部位の血流量を測定する血流量測定手段と、
前記被測定者の部位の位置の変化を検出する位置検出手段と、
この位置検出手段により前記被測定者の部位の位置の変化が検出された際に、前記血流量測定手段により測定される血流量の回復状態を測定する血流回復測定手段と、
この血流回復測定手段により測定された血流量の回復状態に基づいて脱水状態であるか判定する水分量判定手段と、
を備えたことを特徴とする脱水状態判定装置。
【請求項２】
前記血流量測定手段は、前記被測定者の手首に装着され、当該手首の血流量を測定し、
前記位置検出手段は、前記被測定者の手首の位置が所定の高低差以上に上げられた変化を検出し、
前記血流回復測定手段は、前記位置検出手段により前記被測定者の手首の位置が所定の高低差以上に上げられた変化が検出された際に、前記血流量測定手段により測定される血流量が一旦低下した後に上昇に転じてから一定に回復するのまでの回復血流量と回復時間を測定し、
前記水分量判定手段は、前記血流回復測定手段により測定された回復血流量と回復時間から算出される血流回復勾配に基づいて脱水状態であるか判定する、
ことを特徴とする請求項１に記載の脱水状態判定装置。
【請求項３】
前記水分量判定手段は、前記血流回復測定手段により予め測定された回復血流量と回復時間から算出された基準血流回復勾配と今回測定された回復血流量と回復時間から算出された血流回復勾配との比に基づいて血液中の水分低下度を判定する、
ことを特徴とする請求項２に記載の脱水状態判定装置。
【請求項４】
前記位置検出手段により検出される前記被測定者の手首の位置の高低差を測定する高低差測定手段を備え、
前記水分量判定手段は、前記高低差測定手段により予め測定された高低差と今回測定された高低差とに基づいて補正指数を算出する補正指数算出手段を有し、前記基準血流回復勾配と前記補正指数算出手段により算出された補正指数により補正した今回の血流回復勾配との比に基づいて血液中の水分低下度を判定する、
ことを特徴とする請求項３に記載の脱水状態判定装置。
【請求項５】
前記位置検出手段は、加速度センサを有し、この加速度センサから出力される加速度値に基づいて前記被測定者の部位の位置の変化を検出する、
ことを特徴とする請求項１ないし請求項４の何れか１項に記載の脱水状態判定装置。
【請求項６】
前記血流量測定手段は、光学センサを有し、この光学センサからの出力信号に基づいて被測定者の部位の血流量を測定する、
ことを特徴とする請求項１ないし請求項５の何れか１項に記載の脱水状態判定装置。
【発明の詳細な説明】
【技術分野】
【０００１】
本発明は、脱水状態を判定するための脱水状態判定装置に関する。
【背景技術】
【０００２】
脱水症状は、生体中の水分が減少する病態であり、日常しばしば発現し、特に、発汗や体温上昇により多くの水分が体内から体外に排出される運動時や気温の高い時に多く発現する症状である。脱水症状は、その自覚症状が無い段階であっても、熱中症や脳梗塞や心筋梗塞のリスクを高めることが知られている。
【０００３】
従来、日常生活中の脱水症状を手軽に知るための脱水状態判定装置が考えられている。この従来の脱水状態判定装置は、被測定者の身体に交流電流を印加して生体電気インピーダンス値を測定し、測定された生体電気インピーダンス値に基づいて被測定者の脱水状態を判定するものである。この装置では、被測定者が、脱水状態を適切なタイミングで忘れることなく確実に検査するために、予め指定された時刻にブザーを鳴らして被測定者に装置本体を両手で把持することを促し、前記生体電気インピーダンス値を測定して脱水状態を判定している（例えば、特許文献１参照。）。
【先行技術文献】
【特許文献】
【０００４】
【特許文献１】特開２００２−０３４９４６号公報
【発明の概要】
【発明が解決しようとする課題】
【０００５】
前記従来の脱水状態判定装置では、被測定者が、脱水状態を忘れることなく確実に検査するために、予め指定された時刻に鳴るブザーに対応して生体電気インピーダンス値の測定を行わなければならないという不便さがあった。
【０００６】
本発明は、このような課題に鑑みてなされたもので、被測定者に負担を掛けることなく、脱水状態の判定を常時行うことが可能になる脱水状態判定装置を提供することを目的とする。
【課題を解決するための手段】
【０００７】
本発明に係る脱水状態判定装置は、被測定者の部位の血流量を測定する血流量測定手段と、前記被測定者の部位の位置の変化を検出する位置検出手段と、この位置検出手段により前記被測定者の部位の位置の変化が検出された際に、前記血流量測定手段により測定される血流量の回復状態を測定する血流回復測定手段と、この血流回復測定手段により測定された血流量の回復状態に基づいて脱水状態であるか判定する水分量判定手段と、を備えたことを特徴としている。
【発明の効果】
【０００８】
本発明によれば、被測定者に負担を掛けることなく、脱水状態の判定を常時行うことが可能になる。
【図面の簡単な説明】
【０００９】
【図１】本発明の脱水状態判定装置の実施形態に係る腕時計型脱水状態判定装置１０の外観構成を示す正面図。
【図２】前記腕時計型脱水状態判定装置１０の背面構成を示す平面図。
【図３】前記脱水状態判定装置１０により脱水状態を判定する方法について説明する図であり、被測定者の挙手前から挙手後に渡る手首の血流量の変化を示す。
【図４】前記脱水状態判定装置１０のＣＰＵを含む電子回路とソフトウエアとによって構成される各部の機能を示すブロック図。
【図５】前記脱水状態判定装置１０による脱水状態判定処理の全体の流れを示すフローチャート。
【図６】前記脱水状態判定装置１０による予備測定処理ＳＡを示すフローチャート。
【図７】前記脱水状態判定装置１０による通常測定処理ＳＢを示すフローチャート。
【発明を実施するための形態】
【００１０】
以下図面により本発明の実施の形態について説明する。
【００１１】
図１は、本発明の脱水状態判定装置の実施形態に係る腕時計型脱水状態判定装置１０の外観構成を示す正面図である。
【００１２】
図２は、前記腕時計型脱水状態判定装置１０の背面構成を示す平面図である。
【００１３】
この腕時計型脱水状態判定装置１０は、図１に示すように、例えば人体Ｎの手首に装着されて使用され、時刻や血圧、脱水状態の判定結果等を表示する表示部１１を備える。
【００１４】
また、この腕時計型脱水状態判定装置１０の背面１０Ｂには、図２に示すように、光出力孔１２ａと光入力孔１２ｂとが隣接して形成され、光出力孔１２ａの奥にはレーザ光を人体Ｎに照射するレーザダイオードが、光入力孔１２ｂの奥には前記照射したレーザ光の人体Ｎからの戻り光を受光するフォトダイオードが配置される。
【００１５】
前記レーザ光は、皮膚や皮下組織などの静止している生体組織によって周波数を保ったまま散乱される。一方、血管中を移動する赤血球を主とした血球細胞によって散乱された光は、その移動速度に応じた微少量の波長シフトを受ける。前記戻り光はこの２種の散乱光の干渉により生じたうなりを伴っている。そして、この脱水状態判定装置１０では、前記フォトダイオードが受光した戻り光のうなり成分を解析して血流量を計算する。
【００１６】
具体的には、前記フォトダイオードの出力信号に対し、高速フーリエ変換（FFT）を行い、周波数の重み付けをし、適当な周波数範囲で積分を行って１次モーメントを演算する。演算された１次モーメントに比例定数を掛け、レーザ光の受光強度によらないよう受光信号の全パワーで規格化し、血流量を算出する。
【００１７】
図３は、前記脱水状態判定装置１０により脱水状態を判定する方法について説明する図であり、被測定者の挙手前から挙手後に渡る手首の血流量の変化を示す。
【００１８】
手を体側に垂らした状態からある高さまで挙げて静止させると、血流量は一旦低下するが、やがて上昇に転じて回復に向かう。さらに時間が経過すると、血流量はあるところでほぼ一定となる。
【００１９】
血流量が上昇に転じてから一定になるまでの時間を計測する。これを血流回復時間Ｔｒとする。次に、血流量が上昇に転じた時点の血流量ＢＦ１と、血流量が一定になった時点での血流量ＢＦ２の差を計測する。これを回復血流量ＢＦｒとする。さらに回復血流量ＢＦｒを血流回復時間Ｔｒで除算したものを血流回復勾配Ｈとする。
【００２０】
被測定者が脱水状態に陥ると、血液中の水分比率が低下するため、その血流量が正常な状態に比べて低下し、且つ挙手後の血流量の回復度合いが鈍くなる。
【００２１】
従って、被測定者の正常状態での血流量Ａに応じた血流回復勾配Ｈを基準血流回復勾配Ｈｓとして予め測定して記録しておき、記録された基準血流回復勾配Ｈｓをこの後に測定された同じ被測定者の血流量Ｂに応じた血流回復勾配Ｈｐで除算した比率が所定の閾値以上になった場合、被測定者は脱水状態であると判定できる。
【００２２】
なお、挙手前と挙手後の手首の高低差ｈが小さくなると、前記血流回復勾配Ｈも小さくなるので、本実施形態では、被測定者の正常状態での測定に伴う高低差ｈ０とその後の測定に伴う高低差ｈ１との比率に基づいて、脱水状態判定時の血流回復勾配Ｈｐを補正する。
【００２３】
図４は、前記脱水状態判定装置１０のＣＰＵを含む電子回路とソフトウエアとによって構成される各部の機能を示すブロック図である。
【００２４】
脱水状態判定装置１０は、光学測定部２１と加速度測定部２２と計時部２３を備える。
【００２５】
光学測定部２１は、前記光出力孔１２ａを通して人体Ｎにレーザ光を照射するレーザダイオードと、前記光入力孔１２ｂを通して戻り光を受光するフォトダイオードと、フォトダイオードの受光信号を増幅する増幅部を有し、この増幅部により増幅された戻り光の受光信号を血流量計算部２４に出力する。
【００２６】
加速度計測部２２は、３軸加速度センサを有し、この加速度センサにより検出された３軸方向の加速度値を位置推定部２５に出力する。
【００２７】
計時部２３は、年月日時刻の計時回路を有し、その計時信号を図示しない時計処理部に出力すると共に血流変化パターン判定部２６に出力する。
【００２８】
血流量計算部２４は、前記光学測定部２１から出力された戻り光の受光信号を入力し、前述したように、当該戻り光に含まれるうなり成分を解析して血流量を計算し、計算された血流量を血流変化パターン判定部２６に出力する。
【００２９】
位置推定部２５は、加速度計測部２２から出力された加速度値を入力し、入力された加速度値を積分して装置本体の位置を計算し、計算された装置本体の位置を血流変化パターン判定部２６に出力する。
【００３０】
血流変化パターン判定部２６は、血流量計算部２４から出力される血流量と、位置推定部２５から出力される装置本体の位置と、計時部２３から出力される計時信号を入力し、前記回復血流量ＢＦｒ、血流回復時間Ｔｒ、血流回復勾配Ｈ、装置本体の高低差ｈを測定して血流変化パターンを判定する。この血流変化パターン判定部２６により測定した各測定データは、血流変化パターン記録部２７と水分量判定部とに選択的に出力される。
【００３１】
血流変化パターン記録部２７は、被測定者が正常な状態で行う予備測定処理に伴い、前記血流変化パターン判定部２６により測定された血流回復勾配Ｈと装置本体の高低差ｈとを基準血流回復勾配Ｈｓと基準高低差ｈ０として記録する。この血流変化パターン記録部２７により記録した基準血流回復勾配Ｈｓと基準高低差ｈ０とは、被測定者の通常測定処理に伴い水分量判定部２８に出力される。
【００３２】
水分量判定部２８は、前記血流変化パターン記録部２７から入力した基準血流回復勾配Ｈｓと前記血流変化パターン判定部２６から入力した通常測定処理での血流回復勾配Ｈｐとに基づき血液中の水分比率Ｒｍを計算し、計算された水分比率Ｒｍが所定の閾値以上であるか否かにより脱水状態であるか否かを判定する。
【００３３】
この際、前記血流変化パターン判定部２６から入力した通常測定処理での高低差ｈ１を前記血流変化パターン記録部２７から入力した基準高低差ｈ０により除算して高度補正指数Ｃを算出し、前記血流回復勾配Ｈｐをその高度補正指数Ｃにより除算して補正血流回復勾配Ｈｃを算出する。そして、前記基準血流回復勾配Ｈｓを前記補正血流回復勾配Ｈｃで除算して被測定者の正確な血液中の水分比率Ｒｍを算出し、被測定者が脱水状態であるか否かを判定する。
【００３４】
メッセージ作成部２９は、前記水分量判定部２８から入力された被測定者が脱水状態であるか否かの判定結果に応じて音声出力部３０から出力するメッセージを作成する。
【００３５】
音声出力部３０は、前記メッセージ作成部２９により作成されたメッセージを外部に音声として出力する。
【００３６】
このように構成された脱水状態判定装置１０は、前記ＣＰＵが当該判定装置の制御プログラムに記述された各種の処理の命令に従い回路各部の動作を制御し、ソフトウエアとハードウエアとが協働して動作することにより、以下の動作説明で述べる各種の機能を実現する。
【００３７】
次に、前記構成の腕時計型脱水状態判定装置１０の動作について説明する。
【００３８】
図５は、前記脱水状態判定装置１０による脱水状態判定処理の全体の流れを示すフローチャートである。
【００３９】
この脱水状態判定処理では、先ず、被測定者が正常な状態で予備測定処理（ステップＳＡ）を実行し、この後に通常測定処理（ステップＳＢ）を常時実行する。
【００４０】
図６は、前記脱水状態判定装置１０による予備測定処理ＳＡを示すフローチャートである。
【００４１】
被測定者は、水分が十分に摂取された状態、例えば食後所定時間内に、この予備測定処理ＳＡを行う。
【００４２】
装置本体のユーザ操作に応じて、予備測定処理が開始されると、メッセージ作成部２９により予め作成された手下げ要求メッセージ「手を体側に垂らしてください」の音声が音声出力部３０から出力される（ステップＡ１）。被測定者は、この手下げ要求メッセージに応じて脱水状態判定装置１０を装着した手を体側に垂らした状態で静止させておく。
【００４３】
加速度測定部２２により測定される加速度値の変化がなくなることで、装置本体が静止したことが検出されると（ステップＡ２（Ｙｅｓ））、光学測定部２１により出力される人体Ｎからの戻り光の受光信号に基づいて、血流量計算部２４による血流量ＢＦの測定（計算）が開始される（ステップＡ３）。
【００４４】
すると、前記音声出力部３０から手上げ要求メッセージ「手首を肩の高さまで上げて止めて下さい」の音声が出力される（ステップＡ４）。被測定者が、この手上げ要求メッセージに応じて手を上げて止めると、加速度測定部２２により測定される加速度値の変化がなくなることで、装置本体が静止したことが検出される（ステップＡ５（Ｙｅｓ））。
【００４５】
ここで、位置推定部２５から出力される手上げ前後の装置本体の位置に基づいて、血流変化パターン判定部２６によりその高低差ｈが計算され、基準高低差ｈ０として血流変化パターン記録部２７に記録される（ステップＡ６）。
【００４６】
被測定者の手が上げられると、図３で示したように、その血流量ＢＦは一旦低下するが、やがて上昇に転じて血流量ＢＦは回復に向かう。さらに時間が経過すると、被測定者の血流量ＢＦはあるところでほぼ一定となる。
【００４７】
血流量計算部２４から出力される血流量ＢＦの変化に基づいて、その血流量ＢＦが回復方向に反転したと判断されると（ステップＡ７（Ｙｅｓ））、計時部２３から出力される計時信号に基づいて、血流変化パターン判定部２６により当該血流量反転時点からの時間の測定が開始される（ステップＡ８）。
【００４８】
この後、前記血流量計算部２４から出力される血流量ＢＦの変化に基づいて、その血流量ＢＦがほぼ一定になったと判断されると（ステップＡ９（Ｙｅｓ））、前記血流量反転時点からの時間の測定が終了され、その経過時間が血流回復時間Ｔｒとして記録される（ステップＡ１０）。
【００４９】
すると、前記血流量計算部２４により測定（計算）された血流量ＢＦの反転時点での血流量ＢＦ１と一定になった時点での血流量ＢＦ２との差が、回復血流量ＢＦｒとして計算される。そして、この回復血流量ＢＦｒが前記血流回復時間Ｔｒで除算されて血流回復勾配Ｈが算出され、基準血流回復勾配Ｈｓとして血流変化パターン記録部２７に記録される（ステップＡ１１）。
【００５０】
すると、音声出力部３０から終了メッセージ「測定が終了しました」の音声が出力される。
【００５１】
これにより、血流変化パターン記録部２７には、被測定者が正常な状態での予備測定処理に伴う基準血流回復勾配Ｈｓと基準高低差ｈ０が記録される。
【００５２】
図７は、前記脱水状態判定装置１０による通常測定処理ＳＢを示すフローチャートである。
【００５３】
この通常測定処理ＳＢは、前記予備測定処理ＳＡの後、日常において常時実行される。
【００５４】
加速度測定部２２により測定される加速度値に応じて装置本体が静止していないこと、つまり装置本体の移動が検出され、被測定者が装置本体を装着して動いていると判断されると（ステップＢ１（Ｎｏ））、光学測定部２１により出力される人体Ｎからの戻り光の受光信号に基づいて、血流量計算部２４による血流量ＢＦの測定（計算）が開始される（ステップＢ２）。
【００５５】
さらに、加速度測定部２２により測定される加速度値に応じて、被測定者が動く中での装置本体の上昇に伴う鉛直方向への移動距離が計算され（ステップＢ３）、その移動距離が所定値以上になったか否か判断される（ステップＢ４）。
【００５６】
装置本体の上昇に伴う移動距離が所定値以上になることで、予め設定された高低差以上の手上げがされたと判断されると（ステップＢ４（Ｙｅｓ））、次に、加速度測定部２２により測定される加速度値の変化がなくなり、装置本体が静止したか判断される（ステップＢ５）。
【００５７】
装置本体が静止しと判断されると（ステップＢ５（Ｙｅｓ））、前記予備測定処理ＳＡでの動作と同様に、当該通常測定処理ＳＢでの高低差ｈ１と、回復血流量ＢＦｒと、血流回復時間Ｔｒとが測定（計算）される（ステップＢ６〜Ｂ１０）。
【００５８】
そして、前記測定された被測定者の回復血流量ＢＦｒが血流回復時間Ｔｒで除算されて血流回復勾配Ｈｐが算出され（ステップＢ１１）、前記予備測定処理ＳＡに伴い記録された基準高低差ｈ０と今回の高低差ｈ１とに基づいた前記血流回復勾配Ｈｐの補正処理が実行される（ステップＢＨ）。
【００５９】
この補正処理ＢＨでは、先ず、今回の通常測定処理ＳＢに伴う高低差ｈ１が前記予備測定処理ＳＡに伴う基準高低差ｈ０で除算され高度補正指数Ｃが算出される（ステップＢＨ１）。
【００６０】
そして、前記今回の通常測定処理ＳＢに伴う血流回復勾配Ｈｐが前記高度補正指数Ｃで除算され補正血流回復勾配Ｈｃが算出される（ステップＢＨ２）。
【００６１】
すると、水分量判定部２８において、前記血流変化パターン記録部２７に記録された基準血流回復勾配Ｈｓが前記補正血流回復勾配Ｈｃで除算され、被測定者の現在の水分比率低下度Ｒｍが算出される（ステップＢ１２）。
【００６２】
そして、この水分比率低下度Ｒｍが所定の低下度閾値以上であるか否かにより脱水状態であるか否かが判定され（ステップＢ１３）、脱水状態であると判定された場合には（ステップＢ１３（Ｙｅｓ））、メッセージ作成部２９により作成された被測定者に水分摂取を促すための水分補給メッセージが、音声出力部３０から音声として出力される（ステップＢ１４）。
【００６３】
具体的には、例えば今回の通常測定処理ＳＢに伴う高低差ｈ１が３０ｃｍで前記予備測定処理ＳＡに伴う高低差ｈ０が６０ｃｍであった場合、高度補正指数Ｃ＝ｈ１／ｈ０＝０．５となる。そして、今回の通常測定処理ＳＢに伴う血流回復勾配Ｈｐが“０．７”であった場合、前記高度補正指数Ｃ＝０．５で除算した補正血流回復勾配Ｈｃは、Ｈｃ＝Ｈｐ／Ｃ＝１．４となる。予備測定処理ＳＡに伴う基準血流回復勾配Ｈｓが“２”であったとすると、水分比率低下度Ｒｍ＝Ｈｓ／Ｈｃ＝２／１．４＝１．４３となる。そして、この水分比率低下度Ｒｍ＝１．４３が所定の低下度閾値以上に大きい場合には、前記水分補給メッセージを出力することになる。
【００６４】
一方、前記水分比率低下度Ｒｍが所定の低下度閾値未満であることにより脱水状態ではないと判定された場合には（ステップＢ１３（Ｎｏ））、当該通常測定処理ＳＢが繰り返し実行され、被測定者が意識すること無しに、常時、脱水状態であるか否かの判定が行われる（ステップＢ１３→Ｂ１〜Ｂ１３）。そして、脱水状態であると判定された場合には、直ちに前記水分補給メッセージが出力される（ステップＢ１３（Ｙｅｓ））→Ｂ１４）。
【００６５】
したがって、前記構成の腕時計型脱水状態判定装置１０によれば、被測定者の手首に照射したレーザ光の戻り光を受光し、この戻り光を解析して血流量を測定する血流量測定手段を有し、被測定者がある高低差ｈで手を挙げて静止した際に、血流量が一旦低下して上昇に反転し一定に回復するのに伴い、その反転から回復までの回復血流量ＢＦｒと血流回復時間Ｔｒを測定し、回復血流量ＢＦｒを血流回復時間Ｔｒで除算して血流回復勾配Ｈを算出する。被測定者の正常時の予備測定に伴い算出された基準血流回復勾配Ｈｓを同被測定者の通常時の測定に伴い算出された血流回復勾配Ｈｐで除算した水分比率低下度Ｒｍが、所定の低下度閾値以上か否かに応じて脱水状態か否かを判定し、脱水状態であると判定された場合には、水分補給メッセージを音声出力して水分摂取を促す。
【００６６】
このため、被測定者の正常時の予備測定を行った後は、被測定者に負担を強いることなく、常時血液中の水分量を監視して水分補給を適切に促すことができる。これにより熱中症を未然に防げる。また血液の粘度を適正に保つことができるので、エコノミー症候群や就寝中の循環器系障害等のリスクも低減できる。
【００６７】
また、前記構成の腕時計型脱水状態判定装置１０によれば、被測定者の正常時の予備測定に伴う手首の高低差ｈを基準高低差ｈ０として記録しておき、この基準高低差ｈ０を通常時の高低差ｈ１で除算した高度補正指数Ｃを算出する。そして、前記通常時の血流回復勾配Ｈｐは当該高度補正指数Ｃで除算して補正血流回復勾配Ｈｃとし、前記基準血流回復勾配Ｈｓを当該補正血流回復勾配Ｈｃで除算して高精度な水分比率低下度Ｒｍを算出する。
【００６８】
このため、被測定者は何ら意識することなしに、常時より正確に脱水状態か否かの判定を受けることができる。
【００６９】
なお、前記実施形態では、血流量の測定にレーザダイオードとフォトダイオードを配置した光学センサを用いたが、光学センサの代わりに超音波センサを用いて血流量の測定を行ってもよい。
【００７０】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７１】
以下に、本願出願の当初の特許請求の範囲に記載された発明を付記する。
【００７２】
［１］
被測定者の部位の血流量を測定する血流量測定手段と、
前記被測定者の部位の位置の変化を検出する位置検出手段と、
この位置検出手段により前記被測定者の部位の位置の変化が検出された際に、前記血流量測定手段により測定される血流量の回復状態を測定する血流回復測定手段と、
この血流回復測定手段により測定された血流量の回復状態に基づいて脱水状態であるか判定する水分量判定手段と、
を備えたことを特徴とする脱水状態判定装置。
【００７３】
［２］
前記血流量測定手段は、前記被測定者の手首に装着され、当該手首の血流量を測定し、
前記位置検出手段は、前記被測定者の手首の位置が所定の高低差以上に上げられた変化を検出し、
前記血流回復測定手段は、前記位置検出手段により前記被測定者の手首の位置が所定の高低差以上に上げられた変化が検出された際に、前記血流量測定手段により測定される血流量が一旦低下した後に上昇に転じてから一定に回復するのまでの回復血流量と回復時間を測定し、
前記水分量判定手段は、前記血流回復測定手段により測定された回復血流量と回復時間から算出される血流回復勾配に基づいて脱水状態であるか判定する、
ことを特徴とする［１］に記載の脱水状態判定装置。
【００７４】
［３］
前記水分量判定手段は、前記血流回復測定手段により予め測定された回復血流量と回復時間から算出された基準血流回復勾配と今回測定された回復血流量と回復時間から算出された血流回復勾配との比に基づいて血液中の水分低下度を判定する、
ことを特徴とする［２］に記載の脱水状態判定装置。
【００７５】
［４］
前記位置検出手段により検出される前記被測定者の手首の位置の高低差を測定する高低差測定手段を備え、
前記水分量判定手段は、前記高低差測定手段により予め測定された高低差と今回測定された高低差とに基づいて補正指数を算出する補正指数算出手段を有し、前記基準血流回復勾配と前記補正指数算出手段により算出された補正指数により補正した今回の血流回復勾配との比に基づいて血液中の水分低下度を判定する、
ことを特徴とする［３］に記載の脱水状態判定装置。
【００７６】
［５］
前記位置検出手段は、加速度センサを有し、この加速度センサから出力される加速度値に基づいて前記被測定者の部位の位置の変化を検出する、
ことを特徴とする［１］ないし［４］の何れかに記載の脱水状態判定装置。
【００７７】
［６］
前記血流量測定手段は、光学センサを有し、この光学センサからの出力信号に基づいて被測定者の部位の血流量を測定する、
ことを特徴とする［１］ないし［５］の何れかに記載の脱水状態判定装置。
【符号の説明】
【００７８】
１０  …腕時計型脱水状態判定装置
Ｎ    …人体
１０Ｂ…装置背面
１１  …表示部
１２ａ…光出力孔
１２ｂ…光入力孔
２１  …光学測定部
２２  …加速度計測部
２３  …計時部
２４  …血流量計算部
２５  …位置推定部
２６  …血流変化パターン判定部
２７  …血流変化パターン記録部
２８  …水分量判定部
２９  …メッセージ作成部
３０  …音声出力部
【図１】
2015054219.tif 000003
【図２】
2015054219.tif 000004
【図３】
2015054219.tif 000005
【図４】
2015054219.tif 000006
【図５】
2015054219.tif 000007
【図６】
2015054219.tif 000008
【図７】
2015054219.tif 000009